(57)【要約】【課題】簡易な構造で屋根に確実に取り付けることができ、更に、屋根への着脱が容易である屋根用除雪シート掛止具及びこれを用いた屋根用除雪装置を提供する。【解決手段】屋根用除雪シート掛止具は、棟部の長手方向に所定の間隔をおいて載置する複数の屋根用除雪シート掛止部材１０からなり、前記屋根用除雪シート掛止部材１０は、前記棟部を跨ぐ架設部１５と該架設部１５の両端に形成された１対のフック部１１とからなり、該フック部１１は、上方に向かって凹状に形成されて勾配屋根用除雪シート２１及び／又は棟部・勾配屋根兼用除雪シート２３を掛止する。【選択図】図３
0003175941.tif 000002
【実用新案登録請求の範囲】
【請求項１】
棟部と該棟部の両側に備えた一対の勾配屋根を有する建物の屋根に敷設する屋根用除雪シートを掛止するための屋根用除雪シート掛止具であって、
前記屋根用除雪シート掛止具は、前記棟部の長手方向に所定の間隔をおいて載置する複数の屋根用除雪シート掛止部材からなり、前記屋根用除雪シート掛止部材は、前記棟部を跨ぐ架設部と該架設部の両端に形成された１対のフック部とからなり、該フック部は、上方に向かって凹状に形成されて勾配屋根用除雪シート及び／又は棟部・勾配屋根兼用除雪シートを掛止することを特徴とする屋根用除雪シート掛止具。
【請求項２】
前記一対のフック部は前記架設部から延設して該架設部と一体に形成された請求項１に記載の屋根用除雪シート掛止具。
【請求項３】
請求項１又は２に記載の屋根用除雪シート掛止具と、前記屋根用除雪シートとからなる屋根用除雪装置であって、
前記屋根用除雪シートは、前記フック部に該屋根用除雪シート下面に設けた掛止部を掛止して、前記屋根に敷設される屋根用除雪装置。
【請求項４】
請求項１又は２に記載の屋根用除雪シート掛止具と、前記屋根用除雪シートとからなる屋根用除雪装置であって、
前記屋根用除雪シートは、一対の勾配屋根に敷設する一対の勾配屋根除雪シートと、前記棟部に敷設する棟部除雪シートとからなり、
前記一対の勾配屋根除雪シートは、それぞれ前記一対のフック部に該勾配屋根除雪シートの先端部を掛止して前記一対の勾配屋根に敷設され、
前記棟部除雪シートは、前記勾配屋根除雪シートの上面に着脱自在に係着して敷設されている屋根用除雪装置。
【請求項５】
請求項１又は２に記載の屋根用除雪シート掛止具と、前記屋根用除雪シートとからなる屋根用除雪装置であって、
前記屋根用除雪シートは、一方側の勾配屋根に敷設される前記勾配屋根除雪シートと、前記棟部及び他方側の勾配屋根に敷設される棟部・勾配屋根兼用除雪シートとからなり、
前記勾配屋根除雪シートは、一方側の前記フック部に該勾配屋根除雪シートの先端部を掛止して該一方側の勾配屋根に敷設され、且つ、
前記棟部・勾配屋根兼用除雪シートは、前記一方側の勾配屋根において、前記勾配屋根除雪シートの上面に着脱自在に係着して敷設され、前記他方側の勾配屋根において、該他方側のフック部に該棟部・勾配屋根兼用除雪シートの下面に設けた掛止部を掛止して、敷設される屋根用除雪装置。
【請求項６】
前記勾配屋根の軒先部に前記屋根用除雪シートを係止する軒先部係止用部材を備える請求項３乃至５のうちのいずれか１項に記載の屋根用除雪装置。
【請求項７】
前記勾配屋根のけらば部に屋根用除雪シートを係止するけらば部係止用部材を備える請求項３乃至６のうちのいずれか１項に記載の屋根用除雪装置。
【請求項８】
前記屋根用除雪シートは、勾配方向に向かって並設される複数枚からなり、それぞれが係止部材を介して着脱自在に接続されている請求項３乃至７のうちのいずれか１項に記載の屋根用除雪装置。
【請求項９】
前記係止部材は、ファスナーである請求項８に記載の屋根用除雪装置。
【考案の詳細な説明】
【技術分野】
【０００１】
本考案は屋根用除雪シート掛止具及びこれを用いた屋根用除雪装置に関し、更に詳しくは、簡易な構造で、屋根への着脱が容易な屋根用除雪シート掛止具及びこれを用いた除雪装置に関する。
【背景技術】
【０００２】
積雪の多い地域では、建物の屋根に耐久量を越える雪が積もる場合がある。この様な状況の下、作業者が屋根上に登り、スコップなどの除雪具を用いて雪下ろしを行なうことが行なわれている。この雪下ろし作業は、重労働であることに加え、積雪は滑りやすいため、落下事故がおきやすい。
ここで、屋根用除雪装置が提案されている（例えば、特許文献１参照。）。この屋根用除雪装置は、勾配屋根の棟部から軒先部に至る平行な案内レールを勾配屋根に固着し、除雪シートの適所に取着した各移動駒を対応する各案内レールに、除雪シートが上下動操作可能に組み込まれている。そして、降雪期間には除雪シートを勾配屋根全体に敷設しておき、降雪期間以外の期間では、屋根上部に設けた収納部に除雪シートを収納する構造となっている。
この屋根用除雪装置によれば、降雪期には、各案内レールに沿って各移動駒を降下移動させ、屋根上の略全体に除雪シートを敷設し、除雪シート上に降り積もろうとする雪を自動的に滑落させて除去することができるため、雪下ろし作業をしないで降雪期を終えることができる。
そして、降雪期間が終わると、当該除雪シートを、各移動駒と共に各案内レールに沿って上昇移動して折り畳みながら上昇させて収納部内まで誘導し、次の降雪期まで保管することができる。
【先行技術文献】
【特許文献】
【０００３】
【特許文献１】特開２００８−２９７８５０号公報
【考案の概要】
【考案が解決しようとする課題】
【０００４】
しかし、特許文献１に記載の屋根用除雪装置は、勾配屋根に案内レールを固着する必要があり、除雪シートの適所に各移動駒をしなければならず、構造が複雑である。
【０００５】
本考案は、前記の問題を解決するものであり、簡易な構造で屋根に確実に取り付けることができ、更に、屋根への着脱が容易である屋根用除雪シート掛止具及びこれを用いた屋根用除雪装置を提供することを目的とする。
【課題を解決するための手段】
【０００６】
本考案は以下の通りである。
（１）棟部と該棟部の両側に備えた一対の勾配屋根を有する建物の屋根に敷設する屋根用除雪シートを掛止するための屋根用除雪シート掛止具であって、
前記屋根用除雪シート掛止具は、前記棟部の長手方向に所定の間隔をおいて載置する複数の屋根用除雪シート掛止部材からなり、前記屋根用除雪シート掛止部材は、前記棟部を跨ぐ架設部と該架設部の両端に形成された１対のフック部とからなり、該フック部は、上方に向かって凹状に形成されて勾配屋根用除雪シート及び／又は棟部・勾配屋根兼用除雪シートを掛止することを特徴とする屋根用除雪シート掛止具。
（２）前記一対のフック部は前記架設部から延設して該架設部と一体に形成された（１）に記載の屋根用除雪シート掛止具。
（３）（１）又は（２）に記載の屋根用除雪シート掛止具と、前記屋根用除雪シートとからなる屋根用除雪装置であって、
前記屋根用除雪シートは、前記フック部に該屋根用除雪シート下面に設けた掛止部を掛止して、前記屋根に敷設される屋根用除雪装置。
（４）（１）又は（２）に記載の屋根用除雪シート掛止具と、前記屋根用除雪シートとからなる屋根用除雪装置であって、
前記屋根用除雪シートは、一対の勾配屋根に敷設する一対の勾配屋根除雪シートと、前記棟部に敷設する棟部除雪シートとからなり、
前記一対の勾配屋根除雪シートは、それぞれ前記一対のフック部に該勾配屋根除雪シートの先端部を掛止して前記一対の勾配屋根に敷設され、
前記棟部除雪シートは、前記勾配屋根除雪シートの上面に着脱自在に係着して敷設されている屋根用除雪装置。
（５）（１）又は（２）に記載の屋根用除雪シート掛止具と、前記屋根用除雪シートとからなる屋根用除雪装置であって、
前記屋根用除雪シートは、一方側の勾配屋根に敷設される前記勾配屋根除雪シートと、前記棟部及び他方側の勾配屋根に敷設される棟部・勾配屋根兼用除雪シートとからなり、
前記勾配屋根除雪シートは、一方側の前記フック部に該勾配屋根除雪シートの先端部を掛止して該一方側の勾配屋根に敷設され、且つ、
前記棟部・勾配屋根兼用除雪シートは、前記一方側の勾配屋根において、前記勾配屋根除雪シートの上面に着脱自在に係着して敷設され、前記他方側の勾配屋根において、該他方側のフック部に該棟部・勾配屋根兼用除雪シートの下面に設けた掛止部を掛止して、敷設される屋根用除雪装置。
（６）前記勾配屋根の軒先部に前記屋根用除雪シートを係止する軒先部係止用部材を備える（３）乃至（５）のうちのいずれか１項に記載の屋根用除雪装置。
（７）前記勾配屋根のけらば部に屋根用除雪シートを係止するけらば部係止用部材を備える（３）乃至（６）のうちのいずれか１項に記載の屋根用除雪装置。
（８）前記屋根用除雪シートは、勾配方向に向かって並設される複数枚からなり、それぞれが係止部材を介して着脱自在に接続されている（３）乃至（７）のうちのいずれか１項に記載の屋根用除雪装置。
（９）前記係止部材は、ファスナーである（８）に記載の屋根用除雪装置。
【考案の効果】
【０００７】
１．本考案の屋根用除雪シート掛止具は、棟部の長手方向に所定の間隔をおいて載置する複数の屋根用除雪シート掛止部材からなり、屋根用除雪シート掛止部材は、棟部を跨ぐ架設部と架設部の両端に形成された1対のフック部とからなり、フック部は、上方に向かって凹状に形成されて勾配屋根用除雪シート及び／又は棟部・勾配屋根兼用除雪シートを掛止することを特徴とするため、簡易な構造で屋根に確実に取り付けることができ、更に、屋根への着脱が容易である。
２．一対のフック部が架設部から延設して架設部と一体に形成されている場合には、屋根用除雪シート掛止部材が更に簡易な構造となり、製作するのが容易である。
３．本考案の屋根用除雪装置は、屋根用除雪シートが、フック部に屋根用除雪シート下面に設けた掛止具を掛止して、屋根に敷設されるため、簡易な構造で屋根に確実に取り付けることができ、屋根への着脱が容易である。
４．屋根用除雪シートは、一対の勾配屋根に敷設する一対の勾配屋根除雪シートと、棟部に敷設する棟部除雪シートとからなり、一対の勾配屋根除雪シートは、それぞれ前記一対のフック部に勾配屋根除雪シートの先端部を掛止して一対の勾配屋根に敷設され、棟部除雪シートは、勾配屋根除雪シートの上面に着脱自在に係着して敷設されている場合には、更に、簡易な構造で屋根に確実に取り付けることができ、更に、屋根への着脱が容易である。
５．屋根用除雪シートが、一方側の勾配屋根に敷設される前記勾配屋根除雪シートと、棟部及び他方側の勾配屋根に敷設される棟部・勾配屋根兼用除雪シートとからなり、勾配屋根除雪シートが、一方側のフック部に勾配屋根除雪シートの先端部を掛止して一方側の勾配屋根に敷設され、且つ、棟部・勾配屋根兼用除雪シートが、一方側の勾配屋根において、勾配屋根除雪シートの上面に着脱自在に係着して敷設され、他方側の勾配屋根において、他方側のフック部に棟部・勾配屋根兼用除雪シートの下面に設けた掛止部を掛止して、敷設される場合にも、更に、簡易な構造で屋根に確実に取り付けることができ、屋根への着脱が容易である。
６．屋根用除雪装置が、勾配屋根の軒先部に屋根用除雪シートを係止する軒先部係止用部材を備えている場合には、屋根用除雪シートを更に確実に屋根に取り付けることができる。
７．屋根用除雪装置が、勾配屋根のけらば部に屋根用除雪シートを係止するけらば部係止用部材を備えている場合にも、屋根用除雪シートを更に確実に屋根に取り付けることができる。
８．屋根用除雪シートが、勾配方向に向かって並設される複数枚からなり、それぞれが係止部材を介して着脱自在に接続されている場合には、広い屋根に対しても、簡易な構造で屋根に確実に取り付けることができ、更に、屋根への着脱が容易である。
９．係止部材が、ファスナーである場合には、特に屋根用除雪シート同士が簡易に着脱できる。
【図面の簡単な説明】
【０００８】
【図１】本考案の実施形態の屋根用除雪シート掛止具を示す斜視図である。
【図２】（ａ）本考案の実施形態の屋根用除雪シート掛止部材を示す斜視図である。      （ｂ）図２（ａ）のＡ−Ａ断面図である。
【図３】本考案の実施形態の屋根用除雪シート掛止部材に勾配屋根除雪シートと棟部除雪シートを装着する例を示す説明図である。
【図４】本考案の実施形態の屋根用除雪装置に係り、屋根用除雪シート掛止部材に屋根用除雪シートを掛止した例を示す断面図である。
【図５】本考案の実施形態の屋根用除雪装置に係り、屋根用除雪シート掛止部材に屋根用除雪シートを掛止した他の例を示す断面図である。
【図６】本考案の屋根用除雪装置に係り、建物の屋根に屋根用除雪装置を取り付けた例を示す斜視図である。
【考案を実施するための形態】
【０００９】
以下、図１〜６を参照しながら本考案を詳しく説明する。尚、本考案は、かかる図に記載された具体例に示すものに限られず、目的、用途に応じて種々変更したものとすることができる。
［１］屋根用除雪シート掛止具
屋根用除雪シート掛止具１は、図６に示すように、棟部４１の両側に備えた一対の勾配屋根４２を有する建物の屋根に敷設する屋根用除雪シート２０を掛止するためのものである。
ここで、屋根は棟部とその両側に勾配屋根を備えていれば特に限定はなく、瓦屋根、トタン屋根、その他の屋根に取り付けることができる。
【００１０】
本考案に係る屋根用除雪シート掛止具１は、図１に示すように、棟部４１の長手方向に所定の間隔をおいて載置する複数の屋根用除雪シート掛止部材１０からなる。
屋根用除雪シート掛止部材１０は、棟部４１を跨ぐ架設部１５と架設部１５の両端に形成された1対のフック部１１とからなる。
【００１１】
架設部１５は、棟部に沿った形状であることが好ましい。図１に示すアーチ形のほか、棟部の形状によっては、角形の形状であってもよい。材質も特に限定はないが、ステンレスであることが好ましい。ステンレスであれば耐候性に優れる。
【００１２】
フック部１１は、架設部１５の両端に形成された1対の部材からなり、上方に向かって凹状に形成されて勾配屋根用除雪シート及び／又は棟部・勾配屋根用除雪シートを掛止するためのものである。
フック部は上方に向かって凹状に形成されて、勾配屋根用除雪シート及び／又は棟部・勾配屋根用除雪シートを掛止することができれば、その形状は特に限定されず、その形状は特に限定されず、円弧状、Ｖ字状、Ｕ字状、くの字状、コの字状などであってもよい。
フック部の材質も特に限定はないが、ステンレスであることが好ましい。ステンレスであれば耐候性に優れる。
【００１３】
一対のフック部１１は架設部１５から延設して架設部１５と一体に形成されていることが好ましい。こうすることで、屋根用除雪シート掛止部材１０を製作するに当たっては、長尺形状の板材を長手方向の中央部を架設部の形状に折り曲げて形成し、それぞれの両端から上方に向かって凹状に曲げてフック部１１を形成することができる。
【００１４】
［２］屋根用除雪装置
本考案の屋根用除雪装置は、図６に示すように、屋根用除雪シート掛止具１と、屋根用除雪シート２０とからなる。
屋根用除雪シート２０は、図５に示すように、フック部１１に屋根用除雪シート下面に設けた掛止部２０ｃを掛止して、屋根に敷設される。
屋根用除雪シート２０は、材質は特に限定はないが、通常、軟質の素材であり、積雪が滑落しやすい素材であることが好ましい。
掛止部２０ｃは、図５に示すように、屋根用除雪シート２０下面に一端を接続して、棟部の長手方向に帯状に形成されている。掛止部２０ｃと屋根用除雪シート２０との接続方法は特に限定はなく、接着などの他、縫い付けてもよい。また、屋根用除雪シート２０と一体に形成されていてもよい。
掛止部２０ｃの材質も、屋根用除雪シートと同様であり、特に限定はないが、通常、軟質の素材である。
【００１５】
前記屋根用除雪シート２０は、図５に示すように（屋根の一方側のみ図示）、屋根全体を覆う１枚の除雪シートからなることもできる。
更に、前記屋根用除雪シート２０は、図４に示すように、一対の勾配屋根除雪シート２１と棟部除雪シート２２とからなることができる。
また、屋根用除雪シート２０は、一方側に敷設される勾配屋根除雪シート２１（図４）と、棟部４１及び他方側の勾配屋根４２に敷設される棟部・勾配屋根兼用除雪シート２３（図５）とからなることができる。
【００１６】
［実施例１］
実施例１は、図４に示すように、一対の勾配屋根除雪シート２１と棟部除雪シート２２とからなる屋根用除雪シート２０を屋根４０への敷設した例である。
一対の勾配屋根除雪シート２１（他方側不図示）は、それぞれ一対のフック部１１に勾配屋根除雪シート２１の先端部を掛止して両側の勾配屋根４２に敷設される。勾配屋根除雪シート２１をフック部１１に掛止するには、勾配屋根除雪シート２１の先端部に設けられたフック孔２１ａを掛止することにより行う。
【００１７】
そして、棟部除雪シート２２は、図３に示すように、勾配屋根除雪シート２１の上面に着脱自在に係着して敷設される。
具体的には、棟部除雪シート２２に設けられた棟部係着部材２２ｆと、勾配屋根除雪シート２１に設けられた勾配屋根係着部材２１ｆとで形成された係着部材２０ｆにより、着脱自在に係着され、棟部４１に敷設される。この係着部材２０ｆとしては、例えば面ファスナーが好適に使用できる。
なお、図３及び図４は、屋根の一方側のみを示しているが、他方側も同一の構成である。
【００１８】
屋根用除雪装置は、図６に示すように、勾配屋根４２の軒先部５１に前記屋根用除雪シート２１を係止する軒先部係止用部材５１ａを備えていることが好ましい。軒先部係止用部材５１ａは、軒下下部に設けた固定部（不図示）と紐からなり、勾配屋根除雪シート２１の下端に設けた係止孔に樋５１ｂを抱接して紐により屋根用除雪シート２１を固定することができる。
例えば図６に示すように、軒先部係止用部材５１ａは、勾配屋根除雪シート２１に設けた係止孔に紐５１ｃを交互に通し、その紐５１ｃをさらに別の紐５１ｄで固定するようにすることもできる。
【００１９】
また、図６に示すように、勾配屋根４２のけらば部５２に前記屋根用除雪シート２１を係止するけらば部係止用部材５２ａを備えていることが好ましい。けらば部係止用部材５２ａは、けらば部下部に設けた固定部（不図示）と紐からなり、勾配屋根除雪シート２１の側端に設けた係止孔に紐により屋根用除雪シート２１を固定することができる。紐による固定方法は軒先部係止用部材５１ａと同様である。
【００２０】
図５に示すように、屋根用除雪シート２０が、勾配方向に向かって並設される複数枚からなり、それぞれが係止部材２１ｅにより着脱自在に接続されていれば、長手方向に広い屋根であっても、それぞれの屋根用除雪シート２０を簡易に着脱することができる。
更に、係止部材２１ｅで接続される屋根用除雪シート２０の一方に、係止部材２１ｅを被覆する被覆片２１ｄを備えていることが好ましい。被覆片２１ｄにより、係止部材２１ｅ上に直接積雪されるのを防ぐことができ、係止部材２１ｅが凍りついたり損傷したりするのを防ぐことができる。そして、この被覆片２１ｄは、面ファスナー２１ｇにより着脱自在に固定することが好ましい。
なお、図５は勾配屋根除雪シート２１のみが係止部材ｅにより接続されている例を示すが、棟部除雪シート２２、棟部・勾配屋根兼用除雪シート２３についても同様に、係止部材により接続することができる。
この係止部材は特に限定はないが、ファスナーであれば好適に用いることができる。
【００２１】
［実施例２］
実施例２は、図４及び図５に示すように、一方側の勾配屋根４２に敷設される勾配屋根除雪シート２１と、棟部４１及び他方側の勾配屋根４２に敷設される棟部・勾配屋根兼用除雪シート２３とからなる屋根用除雪シートを屋根へ敷設した例である。
図４に示すように、勾配屋根除雪シート２１は、フック部１１に掛止されて一方側の勾配屋根４２に敷設される。勾配屋根除雪シート２１をフック部１１に掛止するには、勾配屋根除雪シート２１の先端部に設けられたフック孔２１ａを掛止することにより行う。
【００２２】
そして、棟部・勾配屋根兼用除雪シート２３は、図４に示すように、一方側の勾配屋根４２において、勾配屋根除雪シート２１の上面に着脱自在に係着して敷設される。
具体的には、棟部除雪シート２２に設けられた棟部係着部材２２ｆと、勾配屋根除雪シート２１に設けられた勾配屋根係着部材２１ｆとで形成された係着部材２０ｆにより、着脱自在に係着され、棟部４１に敷設される。この係着部材２０ｆとしては、例えば面ファスナーが好適に使用できる。
【００２３】
そして更に、図５に示すように、他方側の勾配屋根４２において、他方側のフック部１１に棟部・勾配屋根兼用除雪シート２３の下面に設けた掛止部２３ｃを掛止して敷設される。具体的には、掛止部２３ｃの先端に設けられたフック孔２３ａをフック部１１に掛止することにより行なう。
なお、掛止部２３ｃは、前述のように、屋根用除雪シート２０下面に一端を接続して、棟部の長手方向に帯状に形成されている。掛止部２０ｃと屋根用除雪シート２０との接続方法は特に限定はなく、接着などの他、縫い付けてもよい。また、屋根用除雪シート２０と一体に形成されていてもよい。
掛止部２０ｃの材質も、屋根用除雪シートと同様であり、特に限定はないが、通常、軟質の素材である。
【００２４】
実施例１と同様、図６に示すように、勾配屋根４２の軒先部５１に前記屋根用除雪シート２１を係止する軒先部係止用部材５１ａを備えていることが好ましい。
また、勾配屋根４２のけらば部５２に前記屋根用除雪シート２１を係止するけらば部係止用部材５２ａを備えていることが好ましい。
更に、勾配屋根除雪シート２１及び、棟部・勾配屋根兼用除雪シート２３が、勾配方向に向かって並設される複数枚からなり、それぞれが係止部材により着脱自在に接続されることもできる。
これらの具体的構成、作用効果については、実施例１と同様であるため、その説明を省略する。
【符号の説明】
【００２５】
１；屋根用除雪シート掛止具、１０；屋根用除雪シート掛止部材、１１；フック部、１５；架設部、２０；屋根用除雪シート、２１；勾配屋根除雪シート、２１ｅ；係止部材（ファスナー）、２２；棟部除雪シート、２３；棟部・勾配屋根兼用除雪シート、２３ｃ；掛止部、４０；屋根、４１；棟部、４２；勾配屋根、５１；軒先部、５１ａ；軒先部係止用部材、５２；けらば部、５２ａ；けらば部係止用部材 
【図１】
0003175941.tif 000003
【図２】
0003175941.tif 000004
【図３】
0003175941.tif 000005
【図４】
0003175941.tif 000006
【図５】
0003175941.tif 000007
【図６】
0003175941.tif 000008